(57)【特許請求の範囲】
【請求項１】
ペーパーを引き出し可能となるようにロールペーパーを回転可能に支持する使用ペーパー保持部と、この使用ペーパー保持部の一端と連通し複数のロールペーパーを水平方向に収納可能な予備ペーパー収納部と、この予備ペーパー収納部に設けられ、ロールペーパーを補充するために開閉可能な開閉扉と、前記予備ペーパー収納部に収納されたロールペーパーを前記使用ペーパー保持部に向けて移動させるために、前記予備ペーパー収納部を水平方向に移動可能なスライド部材と、を備えたペーパーホルダにおいて、
前記スライド部材は、前記予備ペーパー収納部に対してスライド可能に取付けられた支持部材と、この支持部材から前記予備ペーパー収納部の内側へ突出した押圧部とを備え、
前記押圧部が収納されたロールペーパーよりも前記使用ペーパー保持部とは反対側へ位置しているときに前記スライド部材を前記使用ペーパー保持部側へ移動させると、前記押圧部は、ロールペーパーの前記使用ペーパー保持部とは反対側の側面に当接してロールペーパーを前記使用ペーパー保持部側へ押圧移動し、
前記押圧部が収納されたロールペーパーよりも前記使用ペーパー保持部側へ位置しているときに前記スライド部材を前記使用ペーパー保持部とは反対側へ移動させると、前記押圧部は、ロールペーパーの前記使用ペーパー保持部側の側面から前記使用ペーパー保持部とは反対側の側面へ移動することを特徴とするペーパーホルダ。
【請求項２】
前記スライド部材には、前記押圧部が前記予備ペーパー収納部の内側へ突出した起立状態から前記使用ペーパー保持部側へ倒れた倒伏状態へと回動可能に軸支するヒンジ部と、前記押圧部が起立状態となるように付勢する付勢手段と、が備えられており、
前記押圧部が収納されたロールペーパーよりも前記使用ペーパー保持部側へ位置しているときに前記スライド部材を前記使用ペーパー保持部とは反対側へ移動させると、前記押圧部は、前記付勢手段の付勢力に抗して前記使用ペーパー保持部側へ回動して、ロールペーパーの前記使用ペーパー保持部側の側面から前記使用ペーパー保持部とは反対側の側面へ移動することを特徴とする請求項１に記載のペーパーホルダ。
【請求項３】
前記スライド部材において、前記押圧部は、前記使用ペーパー保持部と対向する短辺側面と、前記使用ペーパー保持部とは反対側に対向し、前記短辺側面よりも前記ロールペーパー側面との当接角度が大きい長辺側面とを備え、
前記押圧部が、収納されたロールペーパーよりも前記使用ペーパー保持部側へ位置しているときに前記スライド部材を前記使用ペーパー保持部とは反対側へ移動させると、前記長辺側面がロールペーパーを上方へ持ち上げながら前記使用ペーパー保持部とは反対側の側面へ移動することを特徴とする請求項１に記載のペーパホルダ。
【請求項４】
前記スライド部材には、前記押圧部が前記予備ペーパー収納部の内側へ突出した起立状態から前記使用ペーパー保持部側へ倒れた倒伏状態へと回動可能に軸支するヒンジ部と、前記押圧部を回動操作できるように前記支持部材よりも外側に突出したつまみ部と、が備えられており、
前記押圧部が、収納されたロールペーパーよりも前記使用ペーパー保持部側へ位置しているときに前記つまみ部を前記使用ペーパー保持部とは反対側へ回動させると、前記押圧部は、前記使用ペーパー保持部側へ回動し、その状態で前記つまみ部を水平移動させることでロールペーパーの前記使用ペーパー保持部側の側面から前記使用ペーパー保持部とは反対側の側面へ移動することを特徴とする請求項１に記載のペーパーホルダ。
【発明の詳細な説明】
【技術分野】
【０００１】
本発明は、複数のロールペーパーを水平方向に収納した予備ペーパー収納部を備えたペーパーホルダにおいて、予備のロールペーパーを衛生的に、スムーズに使用位置へと移動させるスライド部材を備ているペーパーホルダに関する発明である。 
【背景技術】
【０００２】
近年、公共施設のトイレの器具の壁面配置に関する規定として、ＪＩＳＳ００２６「高齢者・障害者配慮設計指針−公共トイレにおける便房内操作部の形状・色・配置及び器具の配置」が２００７年に制定されている。これは、一般トイレも多目的トイレ（体の不自由な方など、さまざまな人が使えるように配慮されたトイレ）も対象となっている。
【０００３】
従来から、使用頻度の多い公共施設では、予備のロールペーパーを縦方向に複数個収納できる「縦型（I型）のスペア付きペーパーホルダ」が多く使われるが、本ＪＩＳに適合させたペーパーホルダの設置を行う場合、ロールペーパーからペーパーを引出し可能となるように回転可能に支持した使用ペーパー保持部の上方１００ｍｍ程度の位置に洗浄ボタンを設置する必要があるが、ペーパーホルダの予備ペーパー収納部分と干渉してしまい、洗浄ボタンを設置できない。
【０００４】
そこで、スペア付きペーパーホルダは、縦長であっても、図１１に示すように、Ｌ型形状としたものもある。この場合は、洗浄ボタン１をペーパーホルダの使用ペーパー保持部３の上方１００ｍｍ程度の位置に設置できるが、その洗浄ボタン１が使いにくい位置になってしまうという問題がある。例えば、図１１のように配置した場合、予備のロールペーパーを複数収納した予備ペーパー収納部４は、ロールペーパーの標準的な直径φ１０５〜１２０ｍｍの大きさに合わせ、少なくとも壁からの突出寸法が１２０ｍｍ以上となるものが多い。便器６に座った位置からは、その予備ペーパー収納部４の影になって洗浄ボタン１が見えにくくなる場合もあり、操作の際に上腕部が予備ペーパー収納部４に当り使いにくくなる事もある。
【０００５】
また、不特定多数の人が利用するトイレでは、緊急時の設備として非常呼び出しボタン２を設置する場合が増えているが、非常呼び出しボタン２を図１１のように配置すると、便器６に座った使用者からみて後ろ側になってしまう為、視認性が悪くなり、体をひねったり、便器６から立ち上がらないとボタンを押せないので、緊急時に使用できない可能性が高く使い勝手が悪い。
【０００６】
他の設置例として、洗浄ボタン１の上方に非常呼び出しボタン２を設置すると、洗浄ボタン１と間違えて押されてトラブルの元になる可能性もでてくる。また更に他の設置例として、ペーパーホルダの表面に非常呼び出しボタン２を設置する事も考えられるが、やはり洗浄ボタン１と間違われて押されるという誤使用の元になる可能性がある。
【０００７】
そこで、予備ペーパー収納部を横型の形状にする事が考えられる。その場合、縦型のスペア付きペーパーホルダと違い、予備のロールペーパーを重力で下方向、つまり使用位置付近まで移動させることができないので、ロールペーパーを交換する際にロールペーパーを水平方向にスライドしなくてはならない。ただし、不特定多数の人が使用する公共トイレでは、予備のロールペーパーを使用位置へ移動する際に、他人が触ったロールペーパーを使用するのを嫌がる人も多く、スライド部材などを取り付けて直接触らずに済むようにする事が考えられる。
【０００８】
それらの先行技術として、特許文献１、特許文献２のようなものがある。
特許文献１によれば、押さえ板（押圧部）をスライド操作することにより押さえ板（押圧部）がロールペーパーを水平方向に押圧することで使用位置へ移動させることができる。
【０００９】
また、特許文献２によれば、押さえ板（押圧部）をロールペーパーの残数に合った適切な位置へ調整する手段として、箱型ペーパーホルダのスライド部材を備えた面を扉状とし、扉面を開放することで押さえ板（押圧部）とペーパーの接触を回避しながら抑え板の位置を調整可能としている。
【００１０】
【特許文献１】実公平４−６６３６号公報
【特許文献２】実開昭６３−１７９８９４号公報
【発明の概要】
【発明が解決しようとする課題】
【００１１】
特許文献１によると、筒型の本体の内部に支持軸を通し、そこにロールペーパーを挿し使用位置へ移動させる際、押さえ板（押圧部）をスライド部材で操作することにより押さえ板（押圧部）がロールペーパーを水平方向に押圧することで使用位置へ移動させる手段としているが、スライド部材によってロールペーパーを押圧可能とするためには、ロールペーパーの補充をペーパー使用位置側から行う必要があり、その使用位置にあるロールペーパーを取外さないと補充作業が行えず、補充の作業性が悪い。
【００１２】
また、特許文献２によると、横長の箱型の本体の内部に支持軸を通し、そこにロールペーパーを挿し使用位置へ移動させる際、押さえ板（押圧部）をペーパーの残数に合った適切な位置へ調整する手段として、箱型ペーパーホルダのスライド部材を備えた面を扉状とし、扉面を開放することで押さえ板（押圧部）とロールペーパーの接触を回避しながら位置を調整可能としているが、押さえ板が補充されるロールペーパーよりも使用位置側にある状態で、誤って新規にロールペーパーをセットして扉を閉じてしまうと、そのロールペーパー押圧ができず、その場合には、押さえ板の位置合わせをするために、扉を開いて押さえ板の位置を調整する必要が生じるため手間がかかる。
【００１３】
本発明は、上記課題を解決するためになされたものであり、予備のロールペーパーを衛生的に使用位置へと移動させることのでき、しかも、予備のロールペーパーの補充作業が容易なペーパーホルダを提供することを目的とする。
【課題を解決するための手段】
【００１４】
第一の発明としては、ペーパーを引き出し可能となるようにロールペーパーを回転可能に支持する使用ペーパー保持部と、この使用ペーパー保持部の一端と連通し複数のロールペーパーを水平方向に収納可能な予備ペーパー収納部と、この予備ペーパー収納部に設けられ、ロールペーパーを補充するために開閉可能な開閉扉と、前記予備ペーパー収納部に収納されたロールペーパーを前記使用ペーパー保持部に向けて移動させるために、前記予備ペーパー収納部を水平方向に移動可能なスライド部材と、を備えたペーパーホルダにおいて、前記スライド部材は、前記予備ペーパー収納部に対してスライド可能に取付けられた支持部材と、この支持部材から前記予備ペーパー収納部の内側へ突出した押圧部とを備え、前記押圧部が収納されたロールペーパーよりも前記使用ペーパー保持部とは反対側へ位置しているときに前記スライド部材を前記使用ペーパー保持部側へ移動させると、前記押圧部は、ロールペーパーの前記使用ペーパー保持部とは反対側の側面に当接してロールペーパーを前記使用ペーパー保持部側へ押圧移動し、前記押圧部が収納されたロールペーパーよりも前記使用ペーパー保持部側へ位置しているときに前記スライド部材を前記使用ペーパー保持部とは反対側へ移動させると、前記押圧部は、ロールペーパーの前記使用ペーパー保持部側の側面から前記使用ペーパー保持部とは反対側の側面へ移動することを特徴とする。
【００１５】
これにより、押圧部がロールペーパーよりも使用ペーパー保持部側へ位置しているときでも、ロールペーパーに押圧部の移動を妨げられずに使用ペーパー保持部とは反対側へ移動することができるので、押圧部が予備ペーパー収納部のどの位置にあっても収納されたロールペーパーを常に押圧移動できる位置へスライド部材を移動することができる。
従って、使用ペーパー保持部にロールペーパーが残っていても予備ペーパー収納部の開閉扉を開いてロールペーパーを補充することができ、その補充後にスライド部材の位置が不適切な位置にあっても予備ペーパー収納部を開放せずにスライド部材の位置をペーパー押圧できる適切な位置へ移動できるため、予備のロールペーパーを衛生的に、スムーズに使用位置へと移動させることのでき、交換頻度の高い公共施設においても補充作業が容易なペーパーホルダを提供することができる。
【００１６】
第二の発明としては、前記スライド部材には、前記押圧部が前記予備ペーパー収納部の内側へ突出した起立状態から前記使用ペーパー保持部側へ倒れた倒伏状態へと回動可能に軸支するヒンジ部と、前記押圧部が起立状態となるように付勢する付勢手段と、が備えられており、前記押圧部が収納されたロールペーパーよりも前記使用ペーパー保持部側へ位置しているときに前記スライド部材を前記使用ペーパー保持部とは反対側へ移動させると、前記押圧部は、前記付勢手段の付勢力に抗して前記使用ペーパー保持部側へ回動して、ロールペーパーの前記使用ペーパー保持部側の側面から前記使用ペーパー保持部とは反対側の側面へ移動することを特徴とする。
【００１７】
これにより、押圧部をロールペーパーの使用ペーパー保持部側から反対側へと移動させるときに、押圧部が付勢手段の付勢力に抗して回動して倒れるので、比較的大きな押圧部であっても、ロールペーパーに邪魔されずにスムーズに移動させることができ、しかも、押圧部によってロールペーパーを使用ペーパー保持部側に押圧するときには充分な押圧力をロールペーパーに与えることができる。
【００１８】
第三の発明としては、前記スライド部材において、前記押圧部は、前記使用ペーパー保持部と対向する短辺側面と、前記使用ペーパー保持部とは反対側に対向し、前記短辺側面よりも前記ロールペーパー側面との当接角度が大きい長辺側面とを備え、
前記押圧部が、収納されたロールペーパーよりも前記使用ペーパー保持部側へ位置しているときに前記スライド部材を前記使用ペーパー保持部とは反対側へ移動させると、前記長辺側面がロールペーパーを上方へ持ち上げながら前記使用ペーパー保持部とは反対側の側面へ移動することを特徴とする。
【００１９】
これにより、スライド部材をロールペーパーの使用ペーパー保持部側から反対側へと移動させるための構成として、押圧部の形状を工夫するだけのシンプルな構成にすることができ、製造が簡単であると共に、破損も少なくなる。
【００２０】
第四の発明として、前記スライド部材には、前記押圧部が前記予備ペーパー収納部の内側へ突出した起立状態から前記使用ペーパー保持部側へ倒れた倒伏状態へと回動可能に軸支するヒンジ部と、前記押圧部を回動操作できるように前記支持部材よりも外側に突出したつまみ部と、が備えられており、前記押圧部が、収納されたロールペーパーよりも前記使用ペーパー保持部側へ位置しているときに前記つまみ部を前記使用ペーパー保持部とは反対側へ回動させると、前記押圧部は、前記使用ペーパー保持部側へ回動し、その状態で前記つまみ部を水平移動させることでロールペーパーの前記使用ペーパー保持部側の側面から前記使用ペーパー保持部とは反対側の側面へ移動することを特徴とする。
【００２１】
これにより、押圧部をロールペーパーの使用ペーパー保持部側から反対側へと移動させるときに、予備ペーパー収納部内側へ突出している押圧部がつまみ部の操作により回動して倒れるので、比較的大きな押圧部であっても、ロールペーパーに邪魔されずにスムーズに移動させることができ、しかも、押圧部によってロールペーパーを使用ペーパー保持部側に押圧するときには充分な押圧力をロールペーパーに与えることができる。
【発明の効果】
【００２２】
本発明によれば、予備のロールペーパーを衛生的に、スムーズに使用位置へと移動させることができ、交換頻度の高い公共施設においても補充作業が容易なペーパーホルダを提供することができる。
【図面の簡単な説明】
【００２３】
【図１】本発明に係るペーパーホルダをトイレ空間に設置した状態を示す図である。
【図２】図１におけるペーパーホルダ近傍の拡大図である。
【図３】図２のＡ−Ａ線における断面図である。
【図４】第一の実施形態に係るスライド部材の斜視図である。
【図５】図４の分解斜視図である。
【図６】スライド部材の移動を説明するための図である。
【図７】第二の実施形態に係るスライド部材の斜視図である。
【図８】スライド部材の移動を説明するための図である。
【図９】第二の実施形態に係るスライド部材の斜視図である。
【図１０】スライド部材の移動を説明するための図である。
【図１１】従来技術を示す外観図である。
【発明を実施するための形態】
【００２４】
以下、図面を参照しながら、本発明に係る実施の形態について詳細に説明する。
図１は、本発明に係るペーパーホルダをトイレ空間に設置した状態を示す図であり、図２は、図１におけるペーパーホルダ近傍の拡大図である。この図１に示すように、鉄筋コンクリートや軽量鉄骨にパネル貼りされた壁に対し、必要に応じて補強構造を加え、ビスやプラグなどでペーパーホルダ１１が固定されている。同様に、洗浄ボタン１や非常呼び出しボタン２は、電源を必要とする事もあり、壁の内部に電線ケーブルを埋め込んで固定されている。なお、電線ケーブルは、壁面の表面に電線カバー（図示せず）を配して取り付けることも可能である。また、これらペーパーホルダ１１、洗浄ボタン１や非常呼び出しボタン２を取り囲むようにＬ字形状の手すり５が取り付けられている。
【００２５】
ペーパーホルダ１１は、図２に示すように、ペーパーを引き出し可能となるようにロールペーパーを回転可能に支持する使用ペーパー保持部３と、この使用ペーパー保持部の一端と連通し複数のロールペーパーを水平方向に収納可能な予備ペーパー収納部４とから構成されている。使用ペーパー保持部３においては、ロールペーパーは上部を紙切板３ａによて覆われた状態にて回転可能に支持されて露出しており、そのロールペーパーからペーパーを使用者の希望する長さだけ引出して、紙切板３ａによって切断して使用することができる。予備ペーパー収納部４は、両側が開放された横長箱状に形成されており、一端の開放端側が使用ペーパー保持部３と連通しており、他端の開放端側にロールペーパーを補充時に開閉可能な開閉扉９が取り付けられている。開閉扉９には鍵をつけることもでき、不特定多数の人が使用する公共トイレでは、ペーパーの盗難を防止するために有効である。
【００２６】
この予備ペーパー収納部４の前面には、スリット７が形成されており、予備ペーパー収納部４の内部におけるロールペーパーの有無や個数を、使用者やメンテナンス者が確認できる。このスリット７は、ゴミなどの投入を防ぐため、また、指や手を誤って入れて怪我をしないよう、大きすぎない幅となっている。勿論、スリット７を透明部材により閉塞しておいても良い。そして、予備ペーパー収納部４の前面下端辺には、水平方向に左右に移動可能なスライド部材２０が設けられており、このスライド部材２０を操作することで、予備ペーパー収納部４に収納されたロールペーパーを使用ペーパ保持部３へ向かって押圧移動させることが可能となっている。このスライド部材２０の詳細構造については後述する。
【００２７】
この図１、図２に示すように、ＪＩＳＳ００２６に則って、ペーパーホルダ１１における使用ペーパー保持部３の上方に洗浄ボタン１が設置されており、その隣には、非常呼び出しボタン２が隣接されている。一般的に、便器６に座った位置から手で操作しやすい範囲に使用ペーパー保持部３と洗浄ボタン１と非常呼び出しボタン２が配置され、使いやすい配置となっている。予備ペーパーの収納部４の上面は、便器６に座った際に肘を掛けて体を支えたり、立ち座り時に手をついて手すり代わりに使用する事もできる。
【００２８】
次に、図２のＡ−Ａ線における断面図である図３に基いてロールペーパーの補充について説明する。この図３においては、予備ペーパー収納部４の内部にロールペーパー１２が収納されており、そこに、点線で示すロールペーパー１３が追加で補充された状態を示している。なお、使用ペーパー保持部３には、使用途中のロールペーパー１４が芯棒３ａによって回転可能に支持されている。
【００２９】
予備ペーパー収納部４の前面下端辺にはスリット１５が形成されており、そのスリット１５の上下には平行な一対のレール（図示なし）が形成されており、このレールに対してスライド部材２０が取り付けられることで、スライド部材２０が予備ペーパー収納部４に対してスライド可能となっている。ここで、スライド部材２０には、は、予備ペーパー収納部４の内側へ突出した押圧部１６が設けられており、スライド部材２０を使用ペーパー保持部３側へ移動させると、押圧部１６によって予備ペーパー収納部４に収納されたロールペーパーを前記使用ペーパー保持部３に向けて移動させることが可能となっている。具体的には、使用ペーパー保持部３にあるロールペーパー１４を使い切ってしまうと、Ｂ点にあるスライド部材２０を使用ペーパー保持部３側に移動させることで、押圧部１６はロールペーパー１２の使用ペーパー保持部３とは反対側の側面に当接しながら使用ペーパー保持部３側へ移動させることが可能である。
【００３０】
ここで、図３のように、スライド部材２０がＢ点にある状態において、点線で示すロールペーパー１３が追加で補充された場合においては、このままの状態では、スライド部材２０は補充されたロールペーパー１３を使用ペーパー保持部３側へと押圧移動させることはできないが、本発明においては、ロールペーパー１３を取外したり、そのために、開閉扉９を明けたりすることなく、スライド部材２０を点線で示すＣ点の位置まで移動させることが可能となっている。
【００３１】
以下、スライド部材２０の具体的構成について説明する。
図４は、第一の実施形態に係るスライド部材の斜視図であり、図５は、図４の分解斜視図であり、図６はスライド部材の移動を説明するための図である。
スライド部材２０は、レールに対してスライド可能に取り付けられる支持部材１７と、この支持部材１７から外側に突出し、使用者がスライド部材２０を移動させるときに操作するためのつまみ部８と、ヒンジ部１９を介して回動可能に取り付けれた押圧部１６とから構成されている。
【００３２】
支持部材１７は、つまみ部６が一体に形成された前ケース１７ａと、後ケース１７ｂと、その前ケース１７ａ，後ケース１７ｂとで挟持固定される上下の２つのローラーユニット１８ａ，１８ｂとから構成されている。このローラユニット１８ａ、１８ｂの夫々には、幅方向に一対のローラ１８が回転可能に固定されており、このローラ１８がレールに沿って回転することで支持部材１７は容易にスライド可能となっている。なお、つまみ部８に多少の外力が掛けられても、レールからはずれないように、ローラー１８の外周はＶ溝となっている。
【００３３】
押圧部１６は、予備ペーパー収納部４内に向けて突出する押圧本体部１６ａと、この押圧本体１６ａから９０度屈曲して設けられた基端部１６ｂとから構成されており、基端部１６ｂと支持部材１７の後ケース１７ｂとが、ヒンジ部を構成する回転軸１９ａによって回動可能となっている。なお回転軸１９ａには付勢手段としてのコイルバネ２１が配置されている。このバネ２１によって押圧部１６は、支持部材１７の表面に押圧板１６の基端部１６ｂが当接して、押圧本体１６ａが予備ペーパー収納部４の内側へ突出した起立状態（図４に示す状態）となっており、この状態で図４のｆ方向の外力が作用しても、支持部材１７の表面と押圧板１６の基端部１６ｂとの当接により起立状態が維持されるようになっている。一方、ｆ’方向の外力が作用すると、コイルバネ２１の付勢力に抗して、押圧本体部１６ａは支持部材１７と平行となる倒伏状態へと回動する。押圧部１６から外力ｆ’をはずすと、コイルバネ２１の自己復帰力により、図４に示す位置まで約９０度回動し止まる。
【００３４】
以上説明したスライド部材２０によって、図６に示すように、補充されたロールペーパー１３よりも使用ペーパー保持部３側であるＢ点から、ペーパー保持部３とは反対側であるがＣ点の位置までスライド部材２０を移動させる場合には、まず、Ｂ点においては、押圧部１６はペーパー１３の使用ペーパー保持部３側の側面に押しつけられ、そのロールペーパー１３の自重による慣性モーメントがコイルバネ２１の付勢力を上回ることで、押圧部１６はヒンジ部１９を中心として回動して、使用ペーパー保持部３側へと傾いた状態状態となる。
【００３５】
スライド部材２０をさらにＣ点側にスライドさせたＤ点においては、押圧部１６は完全に倒伏状態まで回動し、ロールペーパー１３の下に上記押圧部１６がもぐり込み、ロールペーパー１３に大きな接触抵抗を与えることなく、スライド部材２０がスライドしていく。
【００３６】
そして、スライド部材２０がＣ点までスライドすると、押圧部１６はコイルバネ２１の自己復帰力により元の起立状態まで戻る。従って、ロールペーパー１３を使用ペーパー保持部３に向けて移動させるために、スライド部材２０を使用ペーパー保持部３側に向けてスライドさせた際には、押圧部１６がロールペーパー１３の使用ペーパー保持部３とは反対側の側面に当接して押圧することができる。
【００３７】
これらの構成から、押圧部１６がロールペーパー１３よりも使用ペーパー保持部３側へ位置しているときでも、ロールペーパー１３に押圧部１６の移動を妨げられずに使用ペーパー保持部３とは反対側へ移動することができるので、押圧部１６が予備ペーパー収納部４のどの位置にあっても収納されたロールペーパー１３を常に押圧移動できる位置へスライド部材を移動することができる。
【００３８】
従って、使用ペーパー保持部３にロールペーパーが残っていていも予備ペーパー収納部４の開閉扉９を開いてロールペーパーを補充することができ、その補充後にスライド部材２０の位置が不適切な位置にあっても予備ペーパー収納部４を開放せずにスライド部材２０の位置をペーパー押圧できる適切な位置へ移動できるため、予備のロールペーパーを衛生的に、スムーズに使用位置へと移動させることができ、交換頻度の高い公共施設においても補充作業が容易なペーパーホルダ１１を提供することができる。
【００３９】
また、予備ペーパー収納部４の内側へ突出している押圧部１６がつまみ部の操作によりペーパー１３へ押圧されることで付勢手段の付勢力に抗して回動して倒れるので、押圧部Ｈをペーパー１３を押圧するのに十分な大きさを確保しながらペーパー収納時のスライド部材２０の移動を邪魔（妨害）することがない。
【００４０】
次に、第二の実施形態について図７、図８に基いて説明する。図７は、第二の実施形態に係るスライド部材の斜視図であり、図８は、スライド部材の移動を説明するための図である。
この図７に示すように、スライド部材２４は、レールに対してスライド可能に取り付けられる支持部材１７と、つまみ部８と、使用ペーパー保持部３と対向する短辺側面２２と、前記使用ペーパー保持部３とは反対側に対向し、前記短辺側面２２よりもロールペーパー側面との当接角度が大きい長辺側面２３によって構成された押圧部とで一体に形成されている。
【００４１】
スライド部材２４において、図８に示すように、補充されたロールペーパー１３よりも使用ペーパー保持部３側であるＢ点から、ペーパー保持部３とは反対側であるＣ点の位置までスライド部材２４を移動させる場合には、Ｂ点においては、ロールペーパー１３の使用ペーパー保持部３側の側面と当接する押圧部の長辺側面２３との当接角度αが７０度程度と大きい為、ロールペーパー１３を使用ペーパー保持部３とは反対側に押圧する力は小さく、スライド部材２４はロールペーパー１３を持ち上げながらその下部にもぐり込む事ができる。
【００４２】
スライド部材２４をさらにＣ点側にスライドさせたＤ点においても、ロールペーパー１３の下にもぐりこんだ押圧部の長辺側面２３からロールペーパー１３に大きな接触抵抗を与えることなく、スライド部材２４がスライドしていく。
【００４３】
そして、スライド部材２４がＣ点までスライドすると、ロールペーパー１３は自重により降下して、その使用ペーパー保持部３とは反対側の側面が押圧部の短辺側面２２と対向するようになる。従って、ロールペーパー１３を使用ペーパー保持部３に向けて移動させるために、スライド部材２４を使用ペーパー保持部３側に向けてスライドさせた際には、短辺側面２２がロールペーパー１３の使用ペーパー保持部３とは反対側の側面に当接する。ここで、押圧部の短辺側面２２とロールペーパー１３側面の当接角度βは３０度程度であり、ロールペーパー１３への押圧力が大きく、スライド部材２４はペーパー１３の下方にもぐる事なく、ペーパー１３を使用ペーパー保持部３側へ押圧する事ができる。
【００４４】
これにより、スライド部材２４をロールペーパーの使用ペーパー保持部側から反対側へと移動させるための構成として、押圧部の形状を工夫するだけのシンプルに構成することができ、製造が簡単であると共に、破損も少なくなる。
【００４５】
次に、第三の実施例について図９、図１０に基いて説明する。図９は、第三の実施形態に係るスライド部材の斜視図であり、図１０は、スライド部材の移動を説明するための図である。
この図９に示すように、押圧部をつまみ部と一体的に形成し、ペーパーに対し回避可能な経路で可動な構成とした例を説明する。
【００４６】
図９によれば、スライド部材２７は、レール対してスライド可能に取り付けられる支持部材１７と、つまみ部８と一体に形成された押圧部２５とから構成されており、押圧部２５は、支持部材１７に設けられたヒンジ部２６に回動可能に取り付けられている。押圧部２５は、予備ペーパー収納部４内へ突出する起立状態から、略９０度付近まで回動できる。
【００４７】
スライド部材２７おいて、図１０に示すように、補充されたロールペーパー１３よりも使用ペーパー保持部３側であるＢ点から、ペーパー保持部３とは反対側であるがＣ点の位置までスライド部材２７を移動させる場合には、Ｂ点においてつまみ部８を使用ペーパー保持部とは反対側へ移動させようと回動させると、押圧部２５は、つまみ部８と一体的に回動し、ロールペーパー１３を避ける位置に移動できる（Ｂ’点）。この状態では、ロールペーパー１３の使用ペーパー保持部３側の側面と押圧部２５との当接角度γが７０度程度と大きいので、ロールペーパー１３を使用ペーパー保持部３とは反対側に押圧する力は小さく、スライド部材２７はロールペーパー１３を持ち上げながらその下部にもぐり込む事ができる。
【００４８】
スライド部材２７をさらにＣ点側にスライドさせたＤ点においても、ロールペーパー１３の下にもぐりこんだ押圧部はそのロールペーパーの自重により当接角度γはより大きくなるので、押圧部２５からロールペーパー１３に大きな接触抵抗を与えることなく、スライド部材２７がスライドしていく。
【００４９】
そして、スライド部材２７がＣ点までスライドすると、押圧部２５は起立した状態に復帰することができる。そして、ロールペーパー１３を使用ペーパー保持部３に向けて移動させるために、スライド部材２７を使用ペーパー保持部３側に向けてスライドさせた際には、その起立状態にある押圧部２５は支持部材１７の側面に当接して起立状態を維持することから、ロールペーパー１３への押圧力が大きく、スライド部材２７はペーパー１３の下方にもぐる事なく、ペーパー１３を使用ペーパー保持部３側へ押圧する事ができる。
【００５０】
これにより、押圧部２５をロールペーパー１３の使用ペーパー保持部側から反対側へと移動させるときに、予備ペーパー収納部４の内側へ突出している押圧部２５がつまみ部８の操作により回動して倒れるので、比較的大きな押圧部２５であっても、ロールペーパー１３に邪魔されずにスムーズに移動させることができ、しかも、押圧部２５によってロールペーパー１３を使用ペーパー保持部３側に押圧するときには充分な押圧力をロールペーパー１３に与えることができる。
【符号の説明】
【００５１】
１…洗浄ボタン
２…非常呼び出しボタン
３…使用ペーパー保持部
４…予備ペーパー収納部
５…手すり
６…便器
７…スリット
８…つまみ部
９…開閉扉
１１…ペーパーホルダ
１２〜１４…ロールペーパー
１５…スリット
１６…押圧部
１７…支持部材
１８…ローラー
１９…ヒンジ部
２０…スライド部材
２１…コイルバネ（付勢手段）
２２…短辺側面（押圧部）
２３…長辺側面（押圧部）
２４…スライド部材
２５…押圧部
２６…ヒンジ部
２７…スライド部材
【図１】
0005467518.tif 000002
【図２】
0005467518.tif 000003
【図３】
0005467518.tif 000004
【図４】
0005467518.tif 000005
【図５】
0005467518.tif 000006
【図６】
0005467518.tif 000007
【図７】
0005467518.tif 000008
【図８】
0005467518.tif 000009
【図９】
0005467518.tif 000010
【図１０】
0005467518.tif 000011
【図１１】
0005467518.tif 000012